(57)【要約】【課題】  迅速・簡易に資源を収容し移動し、安全に資源を投入できるコンテナを低コストで提供する。【解決手段】  ダンパー１３１で開閉自在な開閉扉１３２を設けたコンテナ体１１０と、コンテナ体１１０の底板に形成された前脚１２１と、コンテナ体１１０の底板に形成されたローラ１２２と、ガイド１２３と、被固縛装置１２４と、掛合部材１２５と、を備え、コンテナ脱着装置付車両１９０に搭載されるときには、掛合部材１２５がコンテナ脱着装置付き車両１９０のフック１９１に引っ掛けられて前方向に移動されることにより搭載され、コンテナ脱着装置付車両１９０から降ろされるときには、掛合部材１２５がフック１９１に引っ掛けられて後方に移動されることにより降ろされることを特徴とするボックスコンテナ１０１。【選択図】  図２
2016204015.tif 000002
【特許請求の範囲】
【請求項１】
側面に資源を投入する投入口を設け、該投入口にダンパー又はスプリングにより上下方向に開閉自在な開閉扉を設けたコンテナ体と、
該コンテナ体の底板に形成された前脚と、
前記コンテナ体の底板に形成されたローラと、
コンテナ脱着装置付き車両に搭載する場合に案内するガイドと、
前記コンテナ体が前記コンテナ脱着装置付き車両に固縛されるための被固縛装置と、
前記コンテナ体の前板に固定される掛合部材と、を備え、
前記コンテナ体にに明り窓を有し、
前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、
前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする脱着式資源回収用ボックスコンテナ。
【請求項２】
前記明り窓は前記開閉扉又は天井面に設けた請求項１の脱着式資源回収用ボックスコンテナ。
【請求項３】
前記投入口の下部領域に開き戸を設けた請求項１の脱着式資源回収用ボックスコンテナ。
【請求項４】
前記投入口の下部領域に跳ね出し足場をもうけた請求項１の脱着式資源回収用ボックスコンテナ。
【発明の詳細な説明】
【技術分野】
【０００１】
本発明は、コンテナ脱着装置付車両を利用して移動可能で、資源を投入し回収が可能な脱着式資源回収用ボックスコンテナに関する。
【背景技術】
【０００２】
特許文献１に記載の発明は、搬送物の積み卸しが簡単にでき、更に倉庫が不要なコンテナ着脱式運搬車を提供することを課題とする。その発明は、搬送物１を収容可能なコンテナ２と、このコンテナ２を載置する運搬車の荷台３と、前記コンテナ２を運搬車の荷台３から地上に積み卸しする運搬車に搭載された荷役装置４とからなり、前記コンテナ２には、コンテナ内の搬送物１を移動する搬送物移動用ロ−ラ５を設け、前記コンテナ２を載置する運搬車の荷台３には、前記コンテナ２に設けたコンテナロ−ラ６を移動案内するコンテナ移動案内溝７を設けたコンテナ着脱式運搬車である。
【０００３】
特許文献２に記載の発明は、風雨の侵入を防止し、側面からも物の積み降ろしを可能とすると共に、物の積み降ろしを容易にし、且つ、輸送中の資源の落下や散乱を効果的に防止し、内部の有効容積を効率的に利用できるコンテナを提供することを課題とする。そのコンテナ１は、コンテナ脱着装置付自動車１００に脱着自在に構成され、底板４、前板６、後部扉３及び底板４の両側に開閉可能な一対の側板７，８を備え、上部には開閉自在なウイング１２，１３が左右対称に取付けられたセンタービーム１１が備えられている。ウイング１２，１３は骨組１２ａ，１３ａにシート１４を張って構成されており、コンテナ１の上部及び側面の大部分を覆って収容空間２を形成している。ウイング１２，１３はウイング用ロック装置２２を解除すると、ガススプリング２１の弾力性により自動的に押し上げられ、同時に側板７，８を開くことによりコンテナ１の側面から物の積み降ろしが可能となるものである。
【先行技術文献】
【特許文献】
【０００４】
【特許文献１】特開２０００−７１８５５号公報
【特許文献１】特開２００２−３４７８８３号公報
【発明の概要】
【発明が解決しようとする課題】
【０００５】
しかしながら、従来の特許文献１に記載の発明は、コンテナ２についてドア２ａしか設けられておらず、コンテナ２への資源の出し入れの便宜が図られているといえるものではなかった。また、特許文献２に記載の発明は、開閉自在なウイング１２，１３を備えることにより、コンテナ１の側部が開放され、そこから資源の積み下ろしが可能であるが、製造コストや使用の面で必ずしもそのような大がかりなコンテナが必要とされるものでもなかった。また、老人や子供等、だれでも安全に手軽に資源を投入できるものでもなかった。
【０００６】
そこで、本発明は上記問題に鑑み、迅速・簡易に資源を収容し移動し、だれでも安全に資源を投入できるコンテナを低コストで提供することを課題とする。
【課題を解決するための手段】
【０００７】
本発明の脱着式資源回収用ボックスコンテナは、側面に資源を投入する投入口を設け、該投入口にダンパー又はスプリングにより上下方向に開閉自在な開閉扉を設けたコンテナ体と、該コンテナ体の底板に形成された前脚と、前記コンテナ体の底板に形成されたローラと、コンテナ脱着装置付き車両に搭載する場合に案内するガイドと、前記コンテナ体が前記コンテナ脱着装置付き車両に固縛されるための被固縛装置と、前記コンテナ体の前板に固定される掛合部材と、を備え、前記コンテナ体に明り窓を有し、前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする。
【０００８】
前記明り窓は前記開閉扉又は天井面に設けることが好ましい。
【０００９】
上記脱着式資源回収用ボックスコンテナには前記投入口の下部領域に開き戸を設けることが好ましい。
【００１０】
脱着式資源回収用ボックスコンテナには前記投入口の下部領域に跳ね出し式足場を設けることが好ましい。
【００１１】
ここでいうダンパーは、例えば、ガススプリング、コイルスプリング、リーフスプリング、トーションバー、油圧式等を備えたものが好ましい。また、スプリングはコイルスプリング等が挙げられる。
【発明の効果】
【００１２】
本発明の脱着式資源回収用ボックスコンテナによると、コンテナへの資源の出し入れについて、特別な重機等を必要とせずに簡便に行うことができる。また、コンテナの移動のための車両への脱着を簡便に行うことができる。すなわち、本発明の脱着式資源回収用ボックスコンテナは、資源の出し入れおよびコンテナ移動について、迅速容易に行うことが可能となるものである。また、老人や子供での安全に容易に資源を投入することができる。さらに、製造コストを低廉に抑えることができる。
【図面の簡単な説明】
【００１３】
【図１】本発明による実施形態１のボックスコンテナ１０１（以下、単にボックスコンテナ１０１という。）の左側面図である。
【図２】同実施形態のボックスコンテナ１０１がコンテナ脱着装置付車両１９０に脱着される様子を示す説明図である。
【図３】同実施形態のボックスコンテナ１０１の平面図である。
【図４】同実施形態のボックスコンテナ１０１の底面図である。
【図５】同実施形態のボックスコンテナ１０１の正面図である。
【図６】同実施形態のボックスコンテナ１０１の背面図である。
【図７】（ａ）は同実施形態のボックスコンテナ１０１の開閉扉１３２を閉じた状態の断面図、（ｂ）は同じく開いた状態の断面図、（ｃ）は開いて畳んだ状態の断面図である。
【図８】同じく開閉扉の平面図である。
【図９】同実施形態２のボックスコンテナ２０１の左側面図である。
【図１０】（ａ）は同実施形態のボックスコンテナ２０１の開閉扉１３２を閉じた状態の断面図、（ｂ）は同じく開いた状態の断面図、（ｃ）は開いて畳んだ状態の断面図である。
【図１１】実施形態３のボックスコンテナ３０１の左側面図である。
【図１２】（ａ）は同じくコイルばねの斜視図、（ｂ）は同じく開閉扉の裏面斜視図、（ｃ）は同じく縦部分断面図である。
【図１３】実施形態４のボックスコンテナ４０１の左側面図である。
【図１４】（ａ）は同じくボックスコンテナ４０１の開き戸の平面図、（ｂ）は同じく左側面図、（ｃ）は同じく背面図である。
【図１５】実施形態５のボックスコンテナ５０１の左側面図である。
【図１６】（ａ）は同実施形態５の跳ね出し式足場が開いた状態の断面図、（ｂ）は同じく閉じた状態の断面図、（ｃ）は開いて固定した状態の断面図である。
【図１７】実施形態６のボックスコンテナ６０１の中央縦断面図である。
【図１８】同じく中央横断面図である。
【図１９】同じく底面図である。
【図２０】同実施形態６の仕切板の変更形態を示す斜視図である。（ａ）は仕切板が閉じられた状態であり、（ｂ）は仕切板が閉められた状態である。
【図２１】同実施形態６の仕切板の他の変更形態を示す斜視図である。（ａ）は仕切板を差込んだ状態であり、（ｂ）仕切板を外した状態である。
【発明を実施するための形態】
【００１４】
本発明の好適な実施形態１によるボックスコンテナ１０１について、図１〜図８を参照して説明する。ボックスコンテナ１０１は、ボックス型のコンテナ体１１０を備え、図１，図３〜図６に示す通り、中空の直方体構造であり、前板１１１、後板１１２、底板１１３、天板１１４、左側板１１５、右側板１１６を有する箱体である。底板１１３には、図４に示す通り、その前部下面に形成される前脚１２１、後部下面に形成されるローラ付後脚１２２、下面に形成され図２に示すコンテナ脱着装置付車両１９０に搭載する場合に案内するためのガイド１２３、および下面に形成されコンテナ脱着装置付車両１９０の固縛装置に固縛するためのピンを備えた被固縛装置１２４が設けられる。前脚１２１およびローラ付後脚１２２は折畳構造を備え、フックでコンテナ体１１０に掛け止めして固定することができるように構成されてもよい。これに限らず、前脚１２１およびローラ付後脚１２２は、折畳構造を備えていなくてもよい。前板１１１には両端の基部をリブ１２６により補強して固設された板体に、略Ｕ字状ないし略Ｖ字状のロッドが取り付けられた掛合部材１２５が設けられる（図１，図３〜図５参照）。
【００１５】
ボックスコンテナ１０１は、前脚１２１、ローラ付後脚１２２、ガイド１２３、被固縛装置１２４、掛合部材１２５を備え、コンテナ脱着装置付車両１９０への積み降ろし可能となっている（図２参照）。
【００１６】
図７に示す通り、左側板１１５および右側板１１６の上部にはそれぞれ資源を投入する投入口１３０（ここでは横四角形状）を設け、投入口１３０にダンパー１３１により上下方向に開閉自在な開閉扉１３２を煽り戸構造で設け、この開閉扉１３２の下辺が、蝶番１３３で投入口１３０の下辺と連結し蝶番１３３の軸周りに回動自在である。蝶番１３３は投入口１３０の下辺に連結してある。開閉扉１３２は、左側板１１５および右側板１１６の一方のみに設けてもよい。投入口１３０の寸法は用途により変更が可能である。投入口１３０は左側板１１５、右側板１１６のいずれか一方に設けてもよいし、両方に設けてもよい。投入口１３０は、枠により形成され、枠は角パイプまたは丸パイプで構成することが好ましい。当て材としては、鋼板その他エキスパンドメタル、ネット、シート等、要求に応じて対応することができる。投入口１３０の底板１１３からの高さが１１００〜１５００ｍｍ、投入口１３０の高さが５００〜９００ｍｍ、横幅２８００〜３２００ｍｍが例示される。
【００１７】
ダンパー１３１は縦方向に複数個所（ここでは２カ所）設置されており、その上部がシリンダ１３１ａ、下部がロッド１３１ｂとなっている。このダンパー１３１はガスダンパーであり、開閉扉１３２の開閉の際の重量の軽減が可能となる。シリンダ１３１ａの上端は回動軸１３１ｃを介して開閉扉１３２の外側上部に連結され、また、ロッド１３１ｂの下端は回動軸１３１ｄを介して、左側板１１５の外側下部に連結されている。左側板１１５の外側下部に支持部１３４が固定され、支持部１３４の先端にはゴムが固定されて、開閉扉１３２が当たったときの衝撃を緩和できる。開閉扉１３２が水平状態でダンパー１３１のガススプリング力による補助力は例えば３０Kgfに設定してある。開閉扉１３２の重量負荷が概ね１／２以下に軽減される。回動軸１３１ｃが開閉扉１３２の下方に設置されるのは、上部であると、開閉扉１３２を開いたとき、ダンパー１３１が邪魔になるからであり、また、開閉扉１３２の開閉に伴うダンパー１３１の伸縮距離が大きくなるからである。開閉扉１３２を閉めた状態でもなおダンパー１３１は圧縮状態とすることが好ましい。開閉扉１３２を開くとき、ダンパー１３１をより縮める方向になり、衝撃緩和作用生じる。ダンパー１３１の弾性力は開閉扉１３２を閉める方向に行くに従い徐々に小さくなる。
【００１８】
また、開閉扉１３２の左右辺に、開閉扉１３２をロックするハンドル式ロック１３５（例えば、エビ金ハンドル、サイドゲートロック等）を備えている。  
【００１９】
開閉扉１３２は１枚板構造であるが、これを２以上の板に縦に分割して、複数枚の構造としてもよい。この場合、ハンドル式ロック１３５、或いは、ダンパー１３１の本数を増設することが好ましい。
【００２０】
天板１１４に明り窓１３６、開閉扉１３２に明り窓１３７を備えている。これらは明りとり或いは点検窓として機能する。この明り窓１３６は、アングル形状の縦壁部１３６ａと、縦壁部１３６ａにパッキンを介して固定され開口を被覆する光透過性板１３６ｂ（例えば、アクリル樹脂製の板等）と、を備えている。明り窓１３７も同様の構造である。ただし、その構造は限定されるわけではない。明り窓１３６，１３７の個数は単数でも複数でも適宜個数を採用可能である。
【００２１】
後部扉１６０は、図６に示す通り、左右対称の後部扉体１６１ａ，１６１ｂが後部扉回動軸１６２ａ，１６２ｂにより観音扉式に回動開閉自在な扉体である。後部扉１６０は、後部扉体１６１ａ，１６１ｂに架設される後部扉錠１６３及びサイドゲートロック１６５ａ，１６５ｂにより閉じられた状態でロックされる。左側板１１５および右側板１１６の下部には後部扉１６０を開いた状態で固定する後部扉止め１６４が設けられる（図１参照）。後部扉１６０の構造は、上下に開閉する煽り戸構造などでもよい。
【００２２】
以下、本発明の実施形態１によるボックスコンテナ１０１の使用について、作用効果とともに説明する。ボックスコンテナ１０１をコンテナ脱着装置付車両１９０に搭載するときには、図２に示す通り、コンテナ脱着装置付車両１９０のフック１９１で掛合部材１２５を引っ掛けて、アーム１９２によってコンテナ脱着装置付車両１９０における前方向に移動させる。この移動中、前脚１２１が浮いたらこれを畳んだ状態にし、引き続き、アーム１９２によって移動させて搭載する。搭載後、ボックスコンテナ１０１の被固縛装置１２４をコンテナ脱着装置付車両１９０の固縛装置で固縛し固定する。前脚１２１に加えてローラ付後脚１２２も畳んで運搬してもよい。
【００２３】
一方、コンテナ脱着装置付車両１９０から降ろすときには、ボックスコンテナ１０１の被固縛装置１２４をコンテナ脱着装置付車両１９０の固縛装置から解除し、畳んだ状態にあるローラ付後脚１２２を展開して立設し、コンテナ脱着装置付車両１９０のフック１９１で掛合部材１２５を引っ掛けて、アーム１９２によってコンテナ脱着装置付車両１９０の後方に移動させて、ローラ付後脚１２２を着地させる。浮いた前脚１２１を展開して立設した後、引き続き、アーム１９２によってコンテナ脱着装置付車両１９０から離脱させる。ボックスコンテナ１０１は、前脚１２１、ローラ付後脚１２２、ガイド１２３、被固縛装置１２４、掛合部材１２５を備えることによって、コンテナ脱着装置付車両１９０への係脱ないし積み降ろしを円滑に簡単に行うことができる。
【００２４】
つぎに設置状態でのボックスコンテナ１０１に資源を投入する場合、ハンドル式ロック１３５を回動させてロックを外し、開閉扉１３２を外側に回動させ倒すと、ダンパー１３１の衝撃緩和作用が働く。図７（ａ）（ｂ）（ｃ）に示す通り、開閉扉１３２は垂直状態から水平状態に変位し、ダンパー１３１に支持された状態となる。ダンパー１３１は開閉扉１３２の開閉の際に邪魔にならない。開閉扉１３２を閉めるときには、開閉扉１３２を内側に回動させ、起立状態とし、ハンドル式ロック１３５を回動させてロックする。また、ダンパーの衝撃緩和作用により、作業者が開閉扉１３２開閉時に感じる開閉扉１３２の重量が低減し、安全性が向上する。また、老人や子供でも重い開閉扉１３２を簡単に開閉でき安全性に貢献する。さらに、開閉扉１３２を開閉することにより、側面からの作業性が格段に向上する。
【００２５】
このように、ボックスコンテナ１０１を接地させた状態において、開閉扉１３２を開いて、投入口１３０から資源を投入できる。コンテナ体１１０の内部に任意の資源を出し入れないし保管することができる。例えば、新聞や雑誌等の資源をコンテナ体１１０に乱雑に収容したりしても、開閉扉１３２を閉めておけば、これら資源を適切に保管できる。保管中は開閉扉１３２に施錠することができる。また後部扉１６０を開閉することにより、資源を投入、保管ができる。
【００２６】
また、明り窓１３６、１３７により、明りとりをすることができ、内部の資源の状態を観察することができ、適宜、回収等が可能となる。
【００２７】
つぎに本発明の実施形態２のボックスコンテナ２０１を図９、図１０を参照して説明する。この実施形態２は概ね実施形態１と同様であるので、共通点の説明は番号を２００番台として説明は割愛し、相違点を説明する。相違点としては、開閉扉１３２を庇構造の開閉扉２３２とし、サイドゲートロック２３５を設け、ステー固定具２３９で開閉扉２３２を開放状態で支持する構造としたものである。
【００２８】
図１０（ａ）〜（ｃ）に示す通り、開閉扉２３２は上端が蝶番２３３を介して、投入口２３０の上辺に回動自在に連結されている。また、サイドゲートロック２３５を複数個所（ここでは２カ所）に設けている。ダンパー２３１はシリンダ２３１ａとロッド２３１ｂを備えている。シリンダ２３１ａの上端は回動軸２３１ｃを介して開閉扉２３２の外側上部に連結され、また、ロッド２３１ｂの下端は回動軸２３１ｄを介して、開閉扉２３２の外側下部に連結されている。留具２３８ａ，２３８ｂにより、ステー固定具２３９が、脱着自在に、投入口２３０の下部の左側板１１５に固定されている。
【００２９】
本発明の実施形態２による脱着式資源回収用ボックスコンテナ２０１の使用について、作用効果とともに説明する。資源を投入する場合、ステー固定具２３９を取外し、ダンパー２３１を伸長させることにより庇構造の開閉扉２３２を回動させて開き、庇の位置で、ステー固定具２３９の上端を開閉扉２３２の下端の留具（ロック具、例えば折れピン）に取付け、下端を、投入口２３０の下辺の留具（ロック具、例えば折れピン）に取り付ける。庇の重量を軽減する目的でダンパー２３１を取り付けてある。安全性を考慮し、開いた状態ではロック用のステー固定具２３９で固定する。これにより、ステー固定具２３９がつっかい棒の機能を果たし、開閉扉２３２を開いた状態で安全に固定することができる。
【００３０】
つぎに本発明の実施形態３のボックスコンテナ３０１を図１１、図１２を参照して説明する。この実施形態３は概ね実施形態１、２と同様であるので、共通点の説明は番号を３００番台として説明は割愛し、相違点を説明する。相違点としては、開閉扉３３２が内側に回動することで開閉する構造であり、開閉扉３３２の開閉支点構造３３３を、横方向の横棒３３３ａと、横棒に取り付けられたコイルスプリング３３３ｂ（例えばトーション・スプリング）で構成し、コイルスプリング３３３ｂを投入口の外側に常時付勢して押込んで開閉扉３３２を左側板３１５の内壁に押しつけており、作業者が内側に押込むことで開閉扉３３２を開放させて資源を投入し、押込みを止めることで、開閉扉３３２が閉まる構造とする。これにより、ロックなどの操作が不要となる。
【００３１】
つぎに本発明の実施形態４のボックスコンテナ４０１を図１３、図１４を参照して説明する。この実施形態４は概ね実施形態１〜３と同様であるので、共通点の説明は番号を４００番台として説明は割愛し、相違点を説明する。相違点としては、投入口４３０の下部領域に開き戸４４０，４５０（例えば、観音開き扉）を追加で設けたものである。
【００３２】
２つの開き戸４４０，４５０は、図１３〜図１４に示す通り、それぞれ、左右対称の扉体４４１ａ，４４１ｂ，及び、４５１ａ，４５１ｂが、それぞれ、回動軸４４２ａ，４４２ｂ，及び、４５２ａ，４５２ｂにより観音扉式に回動開閉自在な扉体である。扉体４４１ａ，４４１ｂ，及び、４５１ａ，４５１ｂの外側端部には蝶番４４３ａ，４４３ｂ，及び、４５３ａ，４５３ｂが設けられ、また、下部には、それぞれ、サイドゲートロック４４４ａ，４４４ｂ，及び、４５４ａ，４５４ｂが設けられ、また、扉体４４１ａ，４４１ｂ，及び、４５１ａ，４５１ｂ接合部には、それぞれ、ロック部４４５，４５５が設けられる。これらの係合により、開閉扉４４０，４５０は閉じられた状態でロックされる。２つの開き戸４４０，４５０の配置、個数は適宜に設定され得る。開き戸を２つではなく、１つとしてもよい。また、開き戸は、左側板４１５、右側板４１６のいずれか、または、両方に設けることができ、同時に複数個所設けることもできる。
【００３３】
この実施形態４は、必要な場合、開き戸４４０、４５０を開閉することで、保管、回収の便宜を図ることができる。
【００３４】
つぎに本発明の実施形態５のボックスコンテナ５０１を図１５、図１６を参照して説明する。この実施形態５は概ね実施形態１〜４と同様であるので、共通点の説明は番号を５００番台として説明は割愛し、相違点を説明する。相違点としては、投入口５３０の下部領域に跳ね出し足場５７０、５８０を追加で設けたものである。
【００３５】
図１６に示す通り、跳ね出し足場５７０は、投入容積を増加する目的で投入口１３０を高い位置にする場合に、下部の適当な高さに設け、老人、子供、背の低い人等に便宜を図る趣旨である。この跳ね出し足場５７０は、開口部５７０ａを開閉する板材５７０ｂを備え、板材５７０ｂが蝶番５７０ｃにより開口部５７０ａの下辺（上辺でもよい）と回動自在に連結している。ステー固定具５７０ｄを備え、９０度開いた水平位置で、固定される。構造は実施形態２のステー固定具２３９を参照されたい。跳ね出し足場５８０は、跳ね出し足場５７０と同様な構造であるので、説明は割愛する。
【００３６】
以下、本発明の実施形態６によるボックスコンテナ６０１について図１７〜１９を参照して説明する。実施形態６は、実施形態１〜５によるボックスコンテナ１０１〜５０１のいずれでも適用されるものであり、各構成に付す符合は実施形態１〜５におけるものの６００番台とし、前記実施形態と共通する点についてはこれを援用し、説明を省略する。この実施形態６は、コンテナ体６１０の内部空間を前後に分割するものであり、前後方向と直交する横方向に観音扉式構造の仕切板６７１を設けたものである。
【００３７】
実施形態６の変更形態１による脱着式資源回収用ボックスコンテナは、図２０に示す通り、コンテナ体の内部を前室および後室の前後に仕切って開閉自在となす仕切板７７１を備えるものである。以下、各部について説明する。
【００３８】
仕切板７７１は、図２０に示す通り、コンテナ体の内部において、左側板および右側板の間に回動開閉自在に設けられる扉状の板体である。仕切板７７１は、その上部に設けられる蝶番７７２によって回動自在とされ、蝶番７７２から下垂した状態において、コンテナ体の内部を前室および後室に隔てることとなる。蝶番７７２は、仕切板７７１の上部に固設された円筒状の軸受部７７３に、水平に設けられる軸部７７４が摺動可能に挿通されることにより、仕切板７７１を回動自在となすものである。軸部７７４は、左側板および右側板のそれぞれの内側に設けられる中間柱７７５ａ，７７５ｂの間に水平に懸架される。中間柱７７５ａ，７７５ｂはコンテナ体の構造材をそのまま流用してもよいし、別途に設けてもよい。なお、蝶番７７２は水平に限らず、例えば中間柱７７５ａ，７７５ｂのいずれかに垂直に設けて、仕切板７７１を左右に回動開閉するように構成してもよい。
【００３９】
仕切板７７１は規制装置７７６により、蝶番７７２から下垂してコンテナ体７１０の内部を隔てた位置に規制することができる（図２０（ａ）参照）。規制装置７７６は、中間柱７７５ａの下部に設けられた規制レバー７７７と、仕切板７７１の一側部の下部に設けられる係合穴７７８とからなる。規制レバー７７７は、把持部７７７ａおよび係合部７７７ｂが中央の回動軸（図示略）を挟んで互いに反対方向に突設されることにより、把持部７７７ａの回動操作が係合部７７７ｂに伝達される構造を有するものである。これにより、把持部７７７ａを上下に回動操作して、係合部７７７ｂが中間柱７７５ａから突出して係合穴７７８と係合する状態と、係合が解除された状態とをとることができる。規制装置７７６の係合が解除されているとき、仕切板７７１は自由に回動できる状態にある（図２０（ｂ）参照）。
【００４０】
仕切板７７１はコンテナ体と同様の素材、すなわち、鉄等の金属製のものが好適に用いられるものとして挙げられるが、これに限られず、木製、合成樹脂製等のものを用いることもできる。仕切板７７１の幅方向の大きさは、仕切板７７１が回動自在となる限りにおいて、コンテナ体の内部の左右幅に亘って設けることが好ましい。仕切板７７１の下部は、仕切板７７１が回動自在となる限りにおいて、底板の上面に接近して設けることが好ましい。一方、仕切板７７１の上部は、コンテナ体の内部において天板より低い高さで任意に設定できる。
【００４１】
変更形態１による仕切板７７１の使用について効果とともに以下に説明する。コンテナ体の内部に資源を収容する際には、前室または後室にそれぞれ別々の資源を収容することができる。例えば、前室には新聞紙を収容し、後室には空缶を収容すること等ができる。この際、開閉扉を開けて資源を収容することもできる。
【００４２】
コンテナ体の内部に資源を収容する際ないし資源を収容している状態においては、規制装置７７６は、係合部７７７ｂが係合穴７７８に係合した状態にしておくものとする（図２０（ａ）参照）。これにより、仕切板７７１の回動が規制されて前室および後室の間が隔てられ、それぞれの資源が混ざってしまうことはなくなる。
【００４３】
コンテナ体の内部の資源を取り出すときは収容する際と逆の手順で可能であるが、本実施形態の脱着式資源回収用ボックスコンテナは、これをダンプしてコンテナ体の内部の資源を排出することが特に便利である。そこで本実施形態におけるコンテナ脱着装置付車両は、積載のコンテナを荷役装置により傾動してダンプ姿勢とすることが可能なものを用いることが望ましい。コンテナ体の内部の資源を排出するには、まず、後部扉を開放し、ボックスコンテナをその前部を持ち上げてダンプすることにより、後室の中の資源を排出する。この際、規制装置７７６は係合状態のままである（図２０（ａ）参照）。続いて、一旦、ボックスコンテナのダンプを止めて水平に戻した状態で、規制装置７７６の係合を解除した後、再度、ボックスコンテナをダンプする。そうすると、仕切板７７１は、前室の資源の重量により押圧されることにより下方に開放され（図２０（ｂ）参照）、前室の資源が排出されることとなる。すなわち、ボックスコンテナは、前室および後室の内部の資源をそれぞれ別々にして収容することが容易であり、かつ、排出も容易なものである。
【００４４】
以下、実施形態６の変更形態２による仕切板８７１について図２１を参照して説明する。変更形態２は、変更形態１の回動開閉自在な仕切板７７１の代わりに、差込み式の仕切板８７１を用いるものである。そこで、各構成に付す符合は特に示さない限り変更形態１におけるものの８００番台とし、変更形態１と共通する点についてはこれを援用し、説明を省略する。以下、各部の構成とその作用効果について説明する。
【００４５】
仕切板８７１は、図２１に示す通り、差込みレール８７２ａ，８７２ｂに案内されて上方から差込みまたは引抜き自在の板体である。仕切板８７１は、差込みレール８７２ａ，８７２ｂの間に差込み可能な横幅に形成する。一方、仕切板８７１の高さは、コンテナ体の内部を仕切る所望の高さよりも小さく設定し、複数枚の仕切板８７１を差込んで上下に連接させることが好ましい（図２１（ｂ）参照）。このように仕切板８７１を上下に二枚以上に分割して設けることにより、コンテナ体の内部の相当な高さまで仕切板８７１を設置することができる。仕切板８７１はコンクリートパネルを用いて安価に作成することができるが、これに限られず、鉄等の金属製、合成樹脂製等とすることもできる。
【００４６】
差込みレール８７２ａ，８７２ｂは、略コ字状の断面を有する長尺部材であり、それぞれが中間柱８７３ａ，８７３ｂにおいて対向して設けられる（図２１参照）。差込みレール８７２ａ，８７２ｂの下部は底板の上面に接近して設けるが、その上部は天板付近まで延設させず、一枚の仕切板８７１の高さ以上の空間を確保する。
【００４７】
底板には、図２１に示す通り、仕切板８７１が隣接する位置に規制装置８７４を設ける。本実施形態における規制装置８７４は、差込みピン８７５と、差込みピン８７５とが係合する係合穴８７６からなる。規制装置８７４を用いることにより、前室または後室の資源による荷重に対して仕切板８７１の位置を規制することができる。また、ボックスコンテナのダンプ中には、前室の資源により仕切板８７１に作用する荷重が特に大きくなるため、仕切板８７１の破損防止に有効である。なお、仕切板８７１として強度の高い材料を用いる場合等、特に必要のない場合は、規制装置８７４を用いなくてもよい。
【００４８】
ボックスコンテナの使用は、仕切板８７１の係脱を別として変更形態１におけるものとほぼ同様である。仕切板８７１は上述の通り、上方から差込みレール８７２ａ，８７２ｂに差込みまたは引抜いて使用し、必要に応じて規制装置８７４を用いる。また、複数枚に分割した仕切板８７１のうち、下部の仕切板８７１のみを設置した状態にして、その上方の空間を利用して、前室および後室の間で相互に資源等のやりとりを行うこともできる。
【００４９】
本発明の以上の実施形態に用いる各部材要素は、使用するコンテナにおいて適所に配置することができ、使用用途や仕様に合わせて柔軟に選択し対応することができる。例えば左右の側板において別々の構成をとることができる。また、これにより、各部材要素の共通化が図られ、製造コストを低廉に抑えることができる。
【００５０】
なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。例えば実施形態６と変更形態１、２における仕切板を組み合わせて配置したものでもよい。
【符号の説明】
【００５１】
１０１・・・ボックスコンテナ
１１０・・・コンテナ体
１１１・・・前板
１１２・・・後板
１１３・・・底板
１１４・・・天板
１１５・・・左側板
１１６・・・右側板
１１３・・・底板
１２１・・・前脚
１２２・・・ローラ付後脚
１９０・・・コンテナ脱着装置付車両
１２３・・・ガイド
１２４・・・被固縛装置
１２６・・・リブ
１２５・・・掛合部材
１３０・・・投入口
１３１・・・ダンパー
１３２・・・開閉扉
１３３・・・蝶番
１３１ａ・・・シリンダ
１３１ｂ・・・ロッド
１３１ｃ，１３１ｄ・・・回動軸
１３４・・・支持部
１３５・・・ハンドル式ロック
１３６，１３７・・・明り窓
１３６ａ・・・縦壁部
１３６ｂ・・・光透過性板
１６０・・・後部扉
１６１ａ，１６１ｂ・・・後部扉体
１６２ａ，１６２ｂ・・・後部扉回動軸
１６３・・・後部扉錠
１６４・・・後部扉止め
１９０・・・コンテナ脱着装置付車両
１９１・・・フック
１９２・・・アーム
２０１・・・ボックスコンテナ
２３２・・・開閉扉
２３５・・・サイドゲートロック
２３９・・・ステー固定具
２３３・・・蝶番
２３０・・・投入口
２３１ａ・・・シリンダ
２３１ｂ・・・ロッド
２３１ｃ，２３１ｄ・・・回動軸
２３８ａ，２３８ｂ・・・留具
２３９・・・ステー固定具
３０１・・・ボックスコンテナ
３３２・・・開閉扉
３３３・・・開閉支点構造
３３３ａ・・・横棒
３３３ｂ・・・コイルスプリング
４４０，４５０・・・開き戸
４４１ａ，４４１ｂ，４５１ａ，４５１ｂ・・・扉体
４４２ａ，４４２ｂ，４５２ａ，４５２ｂ・・・回動軸
４４３ａ，４４３ｂ，４５３ａ，４５３ｂ・・・蝶番
４４４ａ，４４４ｂ，４５４ａ，４５４ｂ・・・サイドゲートロック
４４５，４５５・・・ロック部
５７０、５８０・・・跳ね出し足場
５７０ａ・・・開口部
５７０ｂ・・・板材
５７０ｃ・・・蝶番
５７０ｄ・・・ステー固定具
６０１・・・ボックスコンテナ
６１０・・・コンテナ体
６７１，７７１・・・仕切板
７７２・・・蝶番
７７３・・・軸受部
７７４・・・軸部
７７５ａ，７７５ｂ・・・中間柱
７７６・・・規制装置
７７７・・・規制レバー
７７８・・・係合穴
７７７ａ・・・把持部
７７７ｂ・・・係合部
８７１・・・仕切板
８７２ａ，８７２ｂ・・・差込みレール
８７３ａ，８７３ｂ・・・中間柱
８７４・・・規制装置
８７５・・・差込みピン
８７６・・・係合穴
【図１】
2016204015.tif 000003
【図２】
2016204015.tif 000004
【図３】
2016204015.tif 000005
【図４】
2016204015.tif 000006
【図５】
2016204015.tif 000007
【図６】
2016204015.tif 000008
【図７】
2016204015.tif 000009
【図８】
2016204015.tif 000010
【図９】
2016204015.tif 000011
【図１０】
2016204015.tif 000012
【図１１】
2016204015.tif 000013
【図１２】
2016204015.tif 000014
【図１３】
2016204015.tif 000015
【図１４】
2016204015.tif 000016
【図１５】
2016204015.tif 000017
【図１６】
2016204015.tif 000018
【図１７】
2016204015.tif 000019
【図１８】
2016204015.tif 000020
【図１９】
2016204015.tif 000021
【図２０】
2016204015.tif 000022
【図２１】
2016204015.tif 000023